(57)【要約】【課題】腕施療部における使用者の腕部の動きの自由度を向上させるマッサージ機を提供する。【解決手段】マッサージ機は、左右の側面部材２の一部として構成された肘掛部６を有する。肘掛部６は、内部に腕施療部１０を有する。腕施療部１０は、腕支持部１１および腕支持部１１の上方に位置する腕配置空間１２を有する。腕配置空間１２は、マッサージ機の幅方向における外側に側面部１３を有する。側面部１３は、側面エアバッグ１４を有する。側面部１３は、側面部材２の一部として形成される。腕配置空間１２は、腕支持部１１の上部に上面部を有する。上面部は、肘掛部６における腕配置空間１２側の面として構成されている。腕配置空間１２は、側面部１３と対向するマッサージ機の幅方向における内側が開口している。【選択図】図２
2014200526.tif 000002
【特許請求の範囲】
【請求項１】
座部、背もたれ部、および腕施療部を有する椅子型マッサージ機であって、
前記腕施療部は、使用者の腕部を支持する腕支持部、前記腕支持部の上方に位置し前記腕を配置する腕配置空間、前記腕配置空間の前記マッサージ機の外側方向における側面部、および前記側面部に設けられた側面エアバッグを有し、
前記腕配置空間は、前記マッサージ機の内側方向が開口している
マッサージ機。
【請求項２】
前記腕施療部は、前記腕支持部の前記背もたれ部側に支持部エアバッグを有し、
前記側面エアバッグおよび前記支持部エアバッグは、膨張して前記腕部を挟む
請求項１に記載のマッサージ機。
【請求項３】
前記支持部エアバッグは、前記側面エアバッグよりも遅れて膨張する
請求項２に記載のマッサージ機。
【請求項４】
前記腕支持部は、腕支持面を有し、
前記腕支持面は、突出部を有する
請求項１〜３のいずれか一項に記載のマッサージ機。
【請求項５】
前記突出部は、手のひらを載せることで前記腕支持面に対する腕の位置を確認できる形状である
請求項４に記載のマッサージ機。
【請求項６】
前記腕配置空間は、前記腕支持部の上部に上面部を有し、
前記上面部は、前記背もたれ部側に上面開口部を有する
請求項１〜５のいずれか一項に記載のマッサージ機。
【発明の詳細な説明】
【技術分野】
【０００１】
本発明は、使用者の手および腕部に対するマッサージ機能を備えた椅子型のマッサージ機に関する。
【背景技術】
【０００２】
手および腕部をマッサージする機能を備えた椅子型のマッサージ機は、使用者が座部に腰掛けて、リラックスした状態でマッサージを受けることができる。特許文献１は、従来の椅子型のマッサージ機の一例を開示している。特許文献１に記載のマッサージ機は、肘掛部の内側後方に前腕挿入開口部を設け、挿入した前腕部を配置する空洞部を有する。空洞部は、内部壁面各所に使用者の前腕部にマッサージを施す前腕部施療機構を有する。使用者は、空洞部に前腕部を挿入して、前腕部施療機構も用いたマッサージを行う。マッサージ手段を使用しないとき、使用者は、肘掛部の上面を肘掛け面として用いる。
【先行技術文献】
【特許文献】
【０００３】
【特許文献１】特開２００８−４３４４８号公報
【発明の概要】
【発明が解決しようとする課題】
【０００４】
従来のマッサージ機は、前腕部を挿入する空洞部を有し、空洞部の内壁に前腕部施療機構としてのエアバッグを有する構成とされる。空洞部は、少なくとも一部が四方向を壁面に覆われ、各壁面にエアバッグを有する構成とされる。このため、使用者は、空洞部に挿入した前腕部に窮屈さを感じるおそれがある。窮屈さを回避するためには、空洞部の空間を大きくする必要があり、マッサージ機の寸法が大きくしなければならない。
【０００５】
本発明は、以上の背景をもとに創作されたものであり、腕施療部における使用者の腕部の動きの自由度を向上させるマッサージ機を提供することを目的とする。
【課題を解決するための手段】
【０００６】
（１）第１の手段は、「座部、背もたれ部、および腕施療部を有する椅子型マッサージ機であって、前記腕施療部は、使用者の腕部を支持する腕支持部、前記腕支持部の上方に位置し前記腕を配置する腕配置空間、前記腕配置空間の前記マッサージ機の外側方向における側面部、および前記側面部に設けられた側面エアバッグを有し、前記腕配置空間は、前記マッサージ機の内側方向が開口しているマッサージ機」を含む。
【０００７】
マッサージ機は、腕施療部を有する。腕施療部は、腕支持部および腕支持部の上方に位置する腕配置空間を有する。腕配置空間は、マッサージ機の幅方向における外側に側面部を有する。側面部は、側面エアバッグを有する。腕配置空間は、側面部と対向するマッサージ機の幅方向における内側が開口している。この構成によれば、マッサージ機は、腕施療部の腕支持部で使用者の腕部を支持して、側面部に設置された側面エアバッグを用いてマッサージを行なうことができる。使用者は、腕支持部の腕支持面に置いた腕部を動かせることが可能な空間が広がることで腕部を動かす自由度が向上する。このため、使用者は、腕部をリラックスさせた状態でマッサージを受けることができる。
【０００８】
（２）第２の手段は、「前記腕施療部は、前記腕支持部の前記背もたれ部側に支持部エアバッグを有し、前記側面エアバッグおよび前記支持部エアバッグは、膨張して前記腕部を挟むマッサージ機」を含む。
【０００９】
（３）第３の手段は、「前記支持部エアバッグは、前記側面エアバッグよりも遅れて膨張するマッサージ機」を含む。
（４）第４の手段は、「前記腕支持部は、腕支持面を有し、前記腕支持面は、突出部を有するマッサージ機」を含む。
【００１０】
（５）第５の手段は、「前記突出部は、手のひらを載せることで前記腕支持面に対する腕の位置を確認できる形状であるマッサージ機」を含む。
（６）第６の手段は、「前記腕配置空間は、前記腕支持部の上部に上面部を有し、前記上面部は、前記背もたれ部側に上面開口部を有するマッサージ機」を含む。
【発明の効果】
【００１１】
本発明は、マッサージ機の腕施療部における使用者の腕部の動きの自由度を向上させることに貢献する。
【図面の簡単な説明】
【００１２】
【図１】第１実施形態におけるマッサージ機の斜視図。
【図２】第１実施形態のマッサージ機における右側腕施療部の構成を示す斜視図。
【図３】第１実施形態のマッサージ機における右側腕施療部に使用者の腕部が配置された状態の斜視図。
【図４】図２における２Ｘ−２Ｘ平面の断面構造図。
【図５】図４に示される断面構造に関する図であり、（ａ）は一点鎖線円の拡大図、（ｂ）は（ａ）に示される断面構造に使用者の腕部が配置され、側面エアバッグが膨張した状態の断面構造図。
【図６】第１実施形態のマッサージ機における右側腕施療部の構造に関する図であり、（ａ）は上面図、（ｂ）は側面図、（ｃ）は（ｂ）の側面図における６Ｘ−６Ｘ平面の断面構造図、（ｄ）は（ｂ）の側面図における６Ｙ−６Ｙ平面の断面構造図。
【図７】第１実施形態のマッサージ機における側面エアバッグ、支持部エアバッグ、およびエアバッグ制御部のブロック構成図。
【図８】第１実施形態のマッサージ機における腕支持部の構成に関する図であり、（ａ）は斜視図、（ｂ）は（ａ）の一点鎖線円の拡大図。
【図９】第１実施形態のマッサージ機における右側面図。
【図１０】第２実施形態のマッサージ機における右側腕施療部の構成を示す斜視図。
【発明を実施するための形態】
【００１３】
（第１実施形態）
図１を参照して、マッサージ機１の構成について説明する。
マッサージ機１は、座部３、背もたれ部４、脚載部５、およびマッサージ機１の幅方向における左右の肘掛部６を有する。肘掛部６は、左右の側面部材２の一部として構成されている。マッサージ機１は、左右の肘掛部６の内部に腕施療部１０を有する。
【００１４】
図２を参照して、腕施療部１０の構成について説明する。
マッサージ機１が左右の肘掛部６の内部に有する２つの腕施療部１０は、同一の構成を有する。以下、図２を参照して、右側の腕施療部１０の構成について説明する。
【００１５】
腕施療部１０は、腕支持部１１および腕支持部１１の上方に位置する腕配置空間１２を有する。腕支持部１１は、上面である腕支持面で使用者の腕部５０（図３参照）を支持する。腕部５０は、手、前腕部、および肘部を含む。
【００１６】
腕配置空間１２は、マッサージ機１の幅方向における外側に側面部１３を有する。側面部１３は、側面エアバッグ１４を有する。側面エアバッグ１４は、例えば、２箇所に分割された第１膨出部１４Ａおよび第２膨出部１４Ｂを有する。側面部１３は、側面部材２の一部として形成される。腕配置空間１２は、腕支持部１１の上部に上面部１６（図５参照）を有する。上面部１６は、肘掛部６における腕配置空間１２側の面として構成されている。腕配置空間１２は、三方を側面部１３、腕支持部１１、および上面部１６で囲まれた空間と規定する。腕配置空間１２は、側面部１３と対向するマッサージ機１の幅方向における内側が開口している。
【００１７】
腕支持部１１は、背もたれ部４側の位置に支持部エアバッグ１５を有する。支持部エアバッグ１５は、腕配置空間１２に使用者の腕部５０が配置されるとき、腕部５０の肘部および前腕部における肘側部分を支持する。支持部エアバッグ１５は、気体流路１７を介して側面エアバッグ１４と繋がっている。
【００１８】
側面エアバッグ１４および支持部エアバッグ１５は、図１に示されるエアバッグ制御部２０からの制御に基づいて膨張および収縮動作を行なう。
使用者は、腕部５０のマッサージを行いたいとき、座部３に腰掛けた状態で左右の腕部５０を肘掛部６の背もたれ部４側に形成された上面開口部７から挿入して、腕支持部１１に載せる。
【００１９】
図３を参照して、腕部５０が配置された腕施療部１０の構成につて説明する。
使用者は、上面開口部７から腕部５０を挿入して、腕支持部１１上に配置する。このとき、腕部５０の肘部および前腕部における肘側部分は、支持部エアバッグ１５上に位置する。側面部１３に配置された側面エアバッグ１４は、第１膨出部１４Ａが使用者の手および前腕部における手首側部分に位置し、第２膨出部１４Ｂが前腕部における肘側部分に位置する。
【００２０】
図４を参照して、腕配置空間１２の構成につて説明する。
使用者の手および前腕部における手首側部分が配置される領域は、上部を上面部１６、外側を側面部１３、および下部を腕支持部１１に囲まれた空間となっている。
【００２１】
図５を参照して、腕配置空間１２の詳細について説明する。
図５（ａ）に示されるように、側面エアバッグ１４は、腕配置空間１２において、マッサージ機１の高さ方向における上部が内側に傾くよう、第１傾斜角θ１を有して側面部１３に配置される。ただし、側面エアバッグ１４の配置は、第１傾斜角θ１を有する構成に限られない。例えば、側面エアバッグ１４の配置は、腕配置空間１２の側面部１３と平行に配置される。つまり、側面エアバッグ１４は、好ましくは０〜３０度程度の第１傾斜角θ１を有して側面部１３に配置される。
【００２２】
また、腕支持部１１は、腕保持面のマッサージ機１の幅方向における内側が高くなる第２傾斜角θ２を有している。ただし、腕支持部１１の腕支持面は、第２傾斜角θ２を有する構成に限られない。例えば、腕支持部１１は、水平な腕支持面を有する。つまり、腕支持部１１は、好ましくは０〜４０度程度の第２傾斜角θ２を有する。
【００２３】
図５（ｂ）に示されるように、上面開口部７から挿入された使用者の腕部５０は、腕支持部１１上に保持される。
腕施療部１０は、側面エアバッグ１４の第１膨出部１４Ａおよび第２膨出部１４Ｂが膨張および収縮を繰り返すことで使用者の手および前腕部に対して刺激を与える。使用者が腕部５０の手のひらを腕支持部１１の腕支持面と対向するように配置するとき、側面エアバッグ１４の第１膨出部１４Ａおよび第２膨出部１４Ｂは、膨張して使用者の手および前腕部の外側上部に対して刺激を与える。
【００２４】
図６を参照して、腕配置空間１２における側面エアバッグ１４および支持部エアバッグ１５の位置関係について説明する。
腕施療部１０は、図６（ａ）に示されるように、上面が肘掛部６に覆われる奥行き方向の位置Ａ〜位置Ｂの間の第１腕施療部領域および上面が上面開口部７となる位置Ｂ〜位置Ｃの間の第２腕施療部領域を有する。腕施療部１０は、図６（ｂ）に示されるように、腕支持部１１の奥行き方向における後方部であり、上面開口部７の位置に支持部エアバッグ１５を有する。
【００２５】
図６（ｃ）に示されるように、位置Ａ〜位置Ｂの第１腕施療部領域において、腕配置空間１２は、下面の腕支持部１１、上部の上面部１６、および外側の側面部１３の三面によってコの字型に囲まれている。位置Ａ〜位置Ｂの第１腕施療部領域において、腕施療部１０は、側面部１３に配置された側面エアバッグ１４を有する。
【００２６】
腕配置空間１２は、マッサージ機１の幅方向における内側が開口している。このため、使用者は、三面がコの字型に囲まれた位置Ａ〜位置Ｂの第１腕施療部領域においても、窮屈さを感じることなく手および前腕部を配置することができる。
【００２７】
図６（ｄ）に示されるように、位置Ｂ〜位置Ｃの第２腕施療部領域において、腕配置空間１２は、下面の腕支持部１１および外側の側面部１３の二面によってＬ字型に囲まれている。位置Ｂ〜位置Ｃの第２腕施療部領域において、腕施療部１０は、側面部１３に側面エアバッグ１４が、腕支持部１１に支持部エアバッグ１５が配置されている。
【００２８】
側面エアバッグ１４が腕支持部１１に支持された手および前腕部の外側上部を押圧するとき、側面エアバッグ１４の第１膨出部１４Ａの一部および第２膨出部１４Ｂと支持部エアバッグ１５は、使用者の前腕部の肘側部分を挟んで固定する。このことにより、側面エアバッグ１４の第１膨出部１４Ａおよび第２膨出部１４Ｂにより外側上部が押圧される使用者の腕部５０は、内側方向にずれることが抑制される。
【００２９】
図７を参照して、マッサージ機１における側面エアバッグ１４および支持部エアバッグ１５の膨張および収縮動作につて説明する。
マッサージ機１のエアバッグ制御部２０は、制御回路２１、ポンプ２２、電磁弁２３、第１チューブ２４、および第２チューブ２５を有する。ポンプ２２は、制御回路２１からの制御信号を受けて、圧縮空気を第１チューブ２４を介して電磁弁２３に出力する。電磁弁２３は、制御回路２１からの制御信号を受けて、第１チューブ２４に出力されたポンプ２２からの圧縮空気を第２チューブ２５を介して左右の側面エアバッグ１４に供給する。
【００３０】
側面エアバッグ１４は、ポンプ２２が出力する圧縮空気を受けて膨張する。側面エアバッグ１４に供給された圧縮空気は、側面エアバッグ１４を経由して気体流路１７を通って支持部エアバッグ１５に供給される。気体流路１７は、単位時間あたりの通過可能流量が制限されている。このため、ポンプ２２が電磁弁２３を介して圧縮空気を側面エアバッグ１４および支持部エアバッグ１５に供給するとき、支持部エアバッグ１５は側面エアバッグ１４よりも遅れて膨張する。
【００３１】
側面エアバッグ１４および支持部エアバッグ１５を収縮させるとき、側面エアバッグ１４の圧縮空気は、第２チューブ２５を通って排気される。支持部エアバッグ１５の圧縮空気は、気体流路１７および側面エアバッグ１４を経由して排気される。このため、支持部エアバッグ１５は側面エアバッグ１４よりも遅れて収縮する。
【００３２】
マッサージ機１は、支持部エアバッグ１５および側面エアバッグ１４の膨張と収縮動作に時間差を持たせることができ、使用者の腕部５０に対して多様な感覚を与えるマッサージを行なうことができる。
【００３３】
側面エアバッグ１４が腕支持部１１に支持された腕部５０の外側上部を押圧するとき、腕部５０は、腕支持部１１の腕支持面に押し付けられる。
図８を参照して、腕支持部１１の構成について説明する。
【００３４】
図８（ａ）に示されるように、腕支持部１１は、使用者の腕部５０における肘部を含む部分を支える位置に支持部エアバッグ１５を有する。腕支持部１１は、支持部エアバッグ１５が配置された領域を除く腕支持面に第１突出部１８を有する。
【００３５】
図８（ｂ）に示されるように、第１突出部１８は、半球状の突起部が格子状に配置されており、腕支持部１１に載せた使用者の腕部５０の腕支持部１１との接触面に下面からの刺激を与える。
【００３６】
これまで説明したように、マッサージ機１は、側面部材２の一部として形成される肘掛部６の内部に腕施療部１０を有する。使用者は、肘掛部６の背もたれ４側に設けられた上面開口部７から腕部５０を挿入して、手および前腕部のマッサージを行なう。
【００３７】
このため、マッサージ機１は、単純な構造の椅子の外観を保った形状で腕部マッサージ機能を備えることができる。
図９は、マッサージ機１の右側面図が示されている。
【００３８】
マッサージ機１は、腕部マッサージ機能を実現する腕施療部１０の構成要素が椅子型のマッサージ機１の外観に特異形状を与えることなく、単純な椅子形状の外観を実現することができる。
【００３９】
使用者は、腕施療部１０を使用しないとき、肘掛部６の上部を肘掛面として使用する。使用者は、座部３に着座した姿勢で肘掛部６の肘掛面に上腕部を載せる。使用者は、リラックスした姿勢で座部３に着座することができる。
【００４０】
本実施形態のマッサージ機１は、以下の効果を奏する。
（１）マッサージ機１は、左右の側面部材２の一部として構成された肘掛部６を有する。肘掛部６は、内部に腕施療部１０を有する。腕施療部１０は、腕支持部１１および腕支持部１１の上方に位置する腕配置空間１２を有する。腕配置空間１２は、マッサージ機１の幅方向における外側に側面部１３を有する。側面部１３は、側面エアバッグ１４を有する。側面部１３は、側面部材２の一部として形成される。腕配置空間１２は、腕支持部１１の上部に上面部１６を有する。上面部１６は、肘掛部６における腕配置空間１２側の面として構成されている。腕配置空間１２は、側面部１３と対向するマッサージ機１の幅方向における内側が開口している。この構成によれば、マッサージ機１は、腕施療部１０の腕支持部１１で使用者の腕部５０を支持して、側面部１３に設置された側面エアバッグ１４を用いてマッサージを行なうことができる。使用者は、腕支持部１１の腕支持面に置いた腕部５０を動かせることが可能な空間が広がることで腕部５０を動かす自由度が向上する。このため、使用者は、腕部５０をリラックスさせた状態でマッサージを受けることができる。
【００４１】
（２）マッサージ機１は、腕施療部１０に腕配置空間１２を有する。腕配置空間１２は、マッサージ機１の幅方向における外側に側面部１３を有する。腕配置空間１２は、側面部１３と対向するマッサージ機１の幅方向における内側が開口している。この構成によれば、マッサージ機１は、腕支持部１１の腕支持面に置いた腕部５０を動かせることが可能な空間が広がる。このため、マッサージ機１は、腕配置空間１２をコンパクトに構成することができる。このため、マッサージ機１は、外形寸法を小さくすることができる。
【００４２】
（３）マッサージ機１は、腕施療部１０に腕配置空間１２を有する。腕配置空間１２は、マッサージ機１の幅方向における外側に形成される側面部１３に側面エアバッグ１４を有する。側面エアバッグ１４は、膨張して使用者の腕部５０の側面上部から押圧して刺激を与える。腕配置空間１２は、側面部１３と対向するマッサージ機１の幅方向における内側が開口している。この構成によれば、マッサージ機１は、腕配置空間１２の外側にのみエアバッグを有する。また、このため、マッサージ機１は、腕配置空間１２をコンパクトに構成することができる。このため、マッサージ機１は、コンパクトに構成された腕配置空間１２で効果的なマッサージを行なうことができる。
【００４３】
（４）マッサージ機１は、腕施療部１０に腕配置空間１２を有する。腕配置空間１２は、マッサージ機１の幅方向における外側に形成される側面部１３に側面エアバッグ１４を有する。側面エアバッグ１４は、膨張して使用者の腕部５０の側面上部から押圧して刺激を与える。この構成によれば、側面エアバッグ１４が膨張して使用者の腕部５０を押圧するとき、腕配置空間１２における膨張したエアバッグが占める領域は、側面上部のみとなる。このため、マッサージ機１は、腕配置空間１２の上面に広く空間を確保することができる。このため、使用者は、広い空間にゆったりと腕を配置することができる。このため、使用者は、リラックスした状態でマッサージを受けることができる。
【００４４】
（５）マッサージ機１は、腕施療部１０に腕支持部１１および腕配置空間１２を有する。腕配置空間１２は、マッサージ機１の幅方向における外側に形成される側面部１３に側面エアバッグ１４を有する。側面エアバッグ１４は、膨張して使用者の腕部５０の側面上方から押圧して刺激を与える。腕支持部１１は、使用者の腕部５０の肘部を含む部分を支える位置に支持部エアバッグ１５を有する。支持部エアバッグ１５は、側面エアバッグ１４よりも遅れて膨張し、側面エアバッグ１４よりも遅れて収縮する。この構成によれば、マッサージ機１は、腕支持部１１が支持しる使用者の腕部５０に対して異なる位置に対しての押圧時間が異なるマッサージを行なうことができる。このため、使用者は、多様なマッサージを受けることができる。
【００４５】
（６）マッサージ機１は、腕施療部１０に腕支持部１１および腕配置空間１２を有する。腕配置空間１２は、腕支持部１１の上部に上面部１６を有する。上面部１６は、肘掛部６における腕配置空間１２側の面として構成されている。上面部１６は、背もたれ部側に上面開口部７を有する。腕配置空間１２は、マッサージ機１の幅方向における外側に形成される側面部１３を有する。腕配置空間１２は、側面部１３と対向するマッサージ機１の幅方向における内側が開口している。この構成によれば、マッサージ機１は、使用者の腕部５０の腕施療部１０への挿入を容易にすることができる。このため、使用者は、わずらわしさを感じることなく腕部５０を腕施療部１０へ挿入することができる。また、使用者は、緊急事態発生時に、腕支持部１１に載せた腕部５０を腕配置空間１２の内側開口部から容易に取り出すことができる。
【００４６】
（第２実施形態）
第２実施形態のマッサージ機１は、第１実施形態のマッサージ機１と比較して以下の部分において異なる構成を有し、その他の部分において同一の構成を有する。なお、第１実施形態のマッサージ機１と共通する構成については同一の符号を付して、その説明の一部または全部を省略する。
【００４７】
第１実施形態のマッサージ機１は、腕支持部１１が腕支持面に半球状の突起部が格子状に配置された第１突出部１８を有する。一方、第２実施形態のマッサージ機１は、腕支持部３１が手のひらを載せて位置を確認する第２突出部３２を有する。
【００４８】
図１０を参照して、第２実施形態のマッサージ機１における腕施療部３０の構成について説明する。
腕施療部３０は、腕支持部３１を有する。腕支持部３１は、上面である腕支持面に第２突出部３２および第３突出部３３を有する。
【００４９】
使用者は、腕部５０を腕施療部３０に挿入して腕支持部３１に載せるとき、手のひらを第２突出部３２に載せることで腕施療部３０における腕部５０の位置を確認する。使用者は、手のひらが第２突出部３２に載る腕部５０の位置とすることで、側面エアバッグ１４との位置関係を適切に設定することができる。
【００５０】
第２突出部３２および第３突出部３３は、側面エアバッグ１４が腕部５０の外側上部を押圧するとき、腕支持部３１に載せた使用者の腕部５０における手のひらおよび前腕部の腕支持部３１との接触面に下面からの刺激を与える。
【００５１】
本実施形態のマッサージ機１は、第１実施形態のマッサージ機１が奏する（１）〜（６）と同様の効果を奏する。すなわち、腕部５０をリラックスさせた状態でマッサージを受けることができる旨の効果、腕配置空間１２をコンパクトに構成することができる旨の効果、およびその他の種々の効果を奏する。また、本実施形態のマッサージ機１は、以下の効果を奏する。
【００５２】
（７）マッサージ機１は、肘掛部６の内部に腕施療部３０を有する。腕施療部３０は、腕支持部３１および腕支持部３１の上面である腕支持面に第２突出部３２有する。この構成によれば、マッサージ機１は、腕施療部３０に挿入された腕部５０の位置を確認する手段を提供することができる。このため、使用者は、腕施療部３０に挿入した腕部５０における手のひらの触覚で腕施療部３０の位置を確認することができる。このため、使用者は、肘掛部６の内部に構成された視覚で確認できない腕施療部３０であっても、挿入した腕部５０を最適な位置に配置することができる。
【００５３】
（その他の実施形態）
本発明は、第１および第２実施形態以外の実施形態を含む。以下、本発明のその他の実施形態としての第１および第２実施形態の変形例を示す。なお、以下の各変形例は、互いに組み合わせることもできる。
【００５４】
・第１実施形態のマッサージ機１は、腕施療部１０の腕支持部１１が背もたれ部４側の位置に支持部エアバッグ１５を有する。ただし、腕施療部１０の構成は、第１実施形態に例示された構成に限られない。例えば、変形例の腕施療部は腕支持部が腕支持面の全面に支持部エアバッグを有する。
【００５５】
この変形例のマッサージ機の構成によれば、腕施療部は、腕支持部に配置された使用者の腕部を側面エアバッグと支持部エアバッグとでしっかり固定してマッサージすることができる。
【００５６】
・第１実施形態のマッサージ機１は、腕施療部１０の腕支持部１１が背もたれ部４側の位置に支持部エアバッグ１５を有する。ただし、腕施療部１０の構成は、第１実施形態に例示された構成に限られない。例えば、変形例の腕施療部は、腕支持部がエアバッグを有しない構成とされる。
【００５７】
この変形例のマッサージ機の構成によれば、使用者は、腕施療部への腕部の挿入が容易となる。
・第１実施形態のマッサージ機１は、腕施療部１０の側面部１３が側面部材２の一部として形成される。ただし、腕施療部１０の構成は、第１実施形態に例示された構成に限られない。例えば、変形例の腕施療部は、外壁部を有し、側面エアバッグが外壁部に配置される。
【００５８】
・第１実施形態のマッサージ機１は、側面エアバッグ１４と支持部エアバッグ１５との間に気体流路１７を有し、側面エアバッグ１４および気体流路１７を介して支持部エアバッグ１５の給気および排気が行われる。ただし、側面エアバッグ１４および支持部エアバッグ１５の構成は、第１実施形態に例示された構成に限られない。例えば、変形例の側面エアバッグおよび支持部エアバッグは、制御回路からの制御に基づいたポンプおよび電磁弁の動作により、個々に給気および排気が行われる。
【００５９】
（課題を解決するための手段に関する付記）
課題を解決するための手段は、下記の付記手段のとおり記述することもできる。
（１）付記手段１は、「前記腕施療部は、前記腕支持部の前記腕部を支持する位置にエアバッグを有していない請求項１〜５のいずれか一項に記載のマッサージ機」を含む。
【符号の説明】
【００６０】
１…マッサージ機、３…座部、４…背もたれ部、７…上面開口部、１０…腕施療部、１１…腕支持部、１２…腕配置空間、１３…側面部、１４…側面エアバッグ、１５…支持部エアバッグ、１６…上面部、１８…第１突出部、３０…腕施療部、３１…腕支持部、３２…第２突出部、３３…第３突出部、５０…腕部。
【図１】
2014200526.tif 000003
【図２】
2014200526.tif 000004
【図３】
2014200526.tif 000005
【図４】
2014200526.tif 000006
【図５】
2014200526.tif 000007
【図６】
2014200526.tif 000008
【図７】
2014200526.tif 000009
【図８】
2014200526.tif 000010
【図９】
2014200526.tif 000011
【図１０】
2014200526.tif 000012